(57)【要約】【課題】自転車、オートバイ、または運動器具としてのヘルス自転車に装着されるサドルにおいて、脚の運動等をする場合に、男性の性巣部周辺に構成された筋肉が自然に鍛錬されるようにすることで、性機能低下に従う問題点を解決する。また、簡単な構成として広く実用可能にする。【解決手段】本発明のサドルは、内周面がネジ山からなる結合部１２が中央に突設されている凹部１１が前方側に形成された、腰を据えるための据え載せ具１０と、前記据え載せ具の上部に接合されて据え載せ具の縁部を囲み前記据え載せ具の前方側に形成された凹部と対応する位置に孔２１が通孔されたクッション部材２０と、前記据え載せ具の結合部に結合される結合棒３２が一方の側に形成され他側には把持部３１を有する調節具３０と、前記調節具の結合棒の縦断側の嵌合されるように下部に嵌合凹部４１が形成された摩擦具４０とからなる。【選択図】図２
2004073846.tif 000002
【特許請求の範囲】
【請求項１】
内周面がネジ山からなる結合部１２が中央に突設されている凹部１１が前方側に形成された、腰を据えるための据え載せ具１０と、
前記据え載せ具の上部に接合されて据え載せ具の縁部を囲み、前記据え載せ具の前方側に形成された凹部に対応する位置に孔２１が通孔されたクッション部材２０と、
前記据え載せ具の結合部に結合される結合棒３２が一方の側に形成され他側には把持部３１を有する調節具３０と、
前記調節具の結合棒の先端部が嵌合されるように下部に嵌合凹部４１が形成された摩擦具４０と
からなることを特徴とする性巣部鍛練サドル。
【請求項２】
前記調節具の一方の側に形成された結合棒３２は、先端部を除いた残りの外周面にネジ山が形成されたことを特徴とする請求項１に記載の性巣部鍛練サドル。
【発明の詳細な説明】
【０００１】
【発明の属する技術分野】
本発明は、男性の性機能等の回復または維持のために性巣部周辺の筋肉を鍛錬する器具に関する。より詳しくは、自転車、オートバイなどのようにヒトが交通手段で利用する乗り物や、運動機具の一つであるヘルス自転車に装着されるサドルの上部に上下移動が容易な摩擦具を備え、自転車やオートバイに乗ったりサイクリングを利用して運動をする時、特に男性等の性巣部を構成している皐丸、陰茎周辺の筋力を鍛練させることによって、性機能の不全や低下等の問題を解決するための性巣部鍛錬サドルに関する。
【０００２】
【従来の技術】
男性の勃起不能などのような性機能低下はありふれた現象であり、特に年を取るほど性機能は大きく減少する実情にあり、これに伴って性生活が不自由になり生に対する意欲を喪失する場合が頻繁に発生する。
【０００３】
前記のような問題点を解決するために男性の性巣部を鍛錬する多くの装置が開発されている。その中で代表的なものが保形物を外科的手法で挿入したり、非侵入型の装置を利用することである。しかしながら、外科的手法による保形物の挿入には多大な費用がかかるだけでなく、通常、手術に伴う患者の危険負担という問題がある。また、非侵入型の装置は安値ではあるが、使用及び管理が煩わしいという問題点がある。
【０００４】
前記問題点を解決するために発明された韓国実用新案登録出願公開番号第１９９９−１９９３８号の男性運動機具を一例として説明する。
【０００５】
これは、一方の側の端部が閉鎖されている上端チューブと、前記上端チューブに連続して連結された多段のチューブと、前記チューブ内を減圧させるための排気を行うように前記一方の側の端部に設置されたチューブ排気口と、前記チューブ排気口に一端が連結されたホースと、前記ホースの他端と連結されて収縮・膨脹により前記チューブ内を減圧させるスポイトとを含む男性運動機具において、前記上端チューブと多段のチューブは互いに隣接したものに対して螺合により結合され、チューブの長さを調節し結合力を強化するために螺合部に締結具が密着されており、前記上端チューブの内部には挿入された男性器の接触によってチューブの長さ方向に往復移動できる保護膜と、前記保護膜に連動して前記安全ピンを作動させる安全ピン作動棒が設けられ、前記スポイトには収縮を自動的に調節することができる収縮調節手段が設けられたことを特徴とする。
【０００６】
上記の特徴を有する従来の男性運動機具は、周期的に行われるスポイトの膨脹・収縮と安全ピンの開放・閉鎖が自動調節されることができ、安全ピンを適時に操作してチューブ内の減圧状態を適切に維持することができるだけでなく、多段で構成されたチューブの結合が円滑であり耐久性が増加する効果がある
しかしながら、構成要素が多くて生産単価の増大をもたらし消費者価格が高価であるだけでなく、強化される筋肉要素が主に男性の陰茎部分のみに限定されているため、性機能低下の全体的な問題は解決できない。また、チューブ内の減圧状態をチェックする安全ピンや収縮調節手段に動力を伝達するモータなどが故障を起こした場合、無理な運動によってむしろ逆効果が現れるという問題点がある。
【０００７】
一方、サドルに指圧器が備わった韓国実用新案登録出願第１９９９−５６８５号の指圧器を兼ねたヘルス自転車も発明されている。
【０００８】
これは、内部に、モータと、このモータの駆動軸に軸支されモータの駆動により偏心回転される偏心部材が設けられた支持筒とが、ヘルス自転車サドルの下部に構成されたものである。電気的に連結されたモータが駆動されるとこのモータの駆動軸に結合された偏心部材が偏心回転して前記支持筒の内部を打撃することによって、支持筒の振動により支持筒が下部に結合されているサドルが振動するため、使用者がサドルに座ってヘルス自転車を利用して脚の運動をする場合、振動されるサドルによって陰茎部位が按摩される効果がある。
【０００９】
しかしながら、前記指圧器が備わったヘルス自転車の場合、下部に設けられたモータの駆動力により偏心回転される偏心部材が反復的に使用されることによって摩耗されるため、この偏心部材を新たなものに交換するにかかる費用が多く、交換する作業も容易ではない。
【００１０】
また、モータとこのモータを電気的に連結する手段など多くの構成要素により生産単価が高価となるのが避けられず、特に、あまり経済力のない老人の場合、購入して使用するには少なくない費用負担がある。
【００１１】
【特許文献１】韓国実用新案登録出願公開１９９９−１９９３８号公報
【００１２】
【特許文献２】韓国実用新案登録出願公開１９９９−５６８５号公報
【００１３】
【特許文献３】実公平１−１１２１８号公報
【００１４】
【発明が解決しようとする課題】
本発明の目的は、自転車またはオートバイ、または運動機具であるヘルス自転車に装着されるサドルの構成を変えることで、自転車に乗ったりヘルス自転車を利用して脚の運動などをする場合に、男性の性巣部周辺に構成された筋肉が自然に鍛練されるようにし、これにより、性機能低下に従う問題点を解決することはもちろん、簡単な構成で広く実用化されることができるようにした性巣部鍛練サドル（男性機能用筋肉鍛錬サドル）を提供することにある。
【００１５】
【課題を解決するための手段】
前記目的を達成するための手段である本発明による性巣部鍛練サドルは、内周面がネジ山からなる結合部１２が中央に突設されている凹部１１が前方側に形成された、腰を据えるための据え載せ具１０と、据え載せ具の上部に接合されて据え載せ具の縁部を囲み据え載せ具の前方側に形成された凹部と対応する位置に孔が通孔されたクッション部材と、据え載せ具の結合部に結合される結合棒が一方の側に形成され他側には把持部を有する調節具と、調節具の結合棒の先端部が嵌合されるように下部に嵌合凹部が形成された摩擦具とからなることを特徴とする。
【００１６】
また、前記調節具の一方の側に形成された結合棒は先端部を除いた残りの外周面にネジ山が形成されたことを特徴とする。
【００１７】
上記のような特徴からなる本発明の性巣部鍛練サドルは、自転車またはオートバイ、または運動機具であるヘルス自転車において、使用者が安着することができるように装着されたサドルの前方側に、上下に高さ調節が可能な摩擦具が形成されることによって、必要時には摩擦具の高さを調節して自転車に乗ったりヘルス自転車を利用して運動をする過程で自然に男性の性巣部を構成する筋肉、特に男性が意識的に自制できない早漏現象を防止し、陰茎の基部を構成する陰茎海綿体の勃起円柱を囲む横紋筋及び隣接している会陰筋の筋肉が鍛練されるため、勃起不全や射精不能などのような性機能障害要因が解決される。
【００１８】
【発明の実施の形態】
以下、本発明の性巣部鍛練サドルの構成及び作用を説明する。
【００１９】
図１は、本発明による性巣部鍛練サドルが自転車に適用されたものを示した正面図である。図示されているように、前輪及び後輪として各々使用される二つの前後方車輪２１０，２２０と、前記前後方車輪２１０，２２０を支持するフレーム２３０と、前記フレームに設置されペダル２４０が固定された前方側スプロケット２５０と、前記前方側スプロケット２５０にチェーン２６０を介して連結され、後方車輪２２０に設置された後方側スプロケット２７０と、前記フレームの前方に設置されて前方車輪を操向する操向部２８０とからなる一般的な自転車構造に、前記フレームの中心上部に本発明の性巣部鍛練サドル１００が装着される。
【００２０】
前記サドル１００は、図２に示されているように、前方側に凹部１１が形成されこの凹部１１の中央に結合部１２が突設された据え載せ具１０の上部に、凹部１１と対応する位置に孔２１が通孔されたクッション部材２０が包み込むようにして接合される。据え載せ具１０の下部には、把持部３１が形成された調節具３０の結合棒３２が据え載せ具１０の結合部１２に結合されて結合部１２の上端側から突出する。また、結合部１２の上端側から突出した結合棒３２の先端部には摩擦具４０の下部に形成された嵌合凹部４１が嵌合される。この摩擦具４０は、クッション部材２０の孔２１を通されて据え載せ具１０の凹部１１内に位置する。調節具３０の一方の側に形成された結合棒３２は、調節具３０をまわして摩擦具４０の高低を調節する時に調節具３０が容易に上昇下降するようにするために、先端部にはネジ山を設けないようにするのが好ましい。
【００２１】
上記のような構成の本発明の性巣部鍛練サドル１００は、使用者が自転車に乗る前に調節具３０をまわしてこの調節具３０の結合棒３２に嵌合された摩擦具４０の突出高さを適切に調節した後、サドルに腰を据えて両脚でもってペダルを反復的に踏み自転車を前進させる間に男性の陰茎の基部を構成する尿道海綿体の球状部と二つの陰茎海綿体の発起円柱を囲む横紋筋及び隣接している会陰筋の筋肉等の性巣部を構成する筋肉が鍛練される。
【００２２】
つまり、自転車を前進させるために両脚を利用してペダルを踏む過程で両脚の動きによって臀部が左右に動くことによって男性の性巣部周辺も左右に動くようになり、前記サドル１００の前方側に突出した摩擦具４０に男性の性巣部が左右に摩擦されることによって性巣部周辺の筋肉が鍛練される。
【００２３】
また、性巣部の筋肉を鍛錬しない場合には、再び調節具３０をまわしてサドル１００を成すクッション部材２０の前方側に突設した摩擦具４０を下降させ、図４に示されているように据え載せ具１０の前方側凹部１１に内挿させた後、自転車に乗ればよい。
【００２４】
従って、本発明の性巣部鍛練サドルが装着された自転車は、性巣部を鍛錬しようとする男性だけでなく、女性も自転車に乗ることができるもので、自転車に乗る使用者を限定させない。
【００２５】
前記摩擦具の形状は、図中に円形状として示されているが、これに限定されず本発明の目的範囲を逸脱しない限り、摩擦具及びこの摩擦具が内挿される据え載せ具の凹部、そしてクッション部材の孔の形状は同一形状で様々な変形実施が可能である。
【００２６】
また、限定するのではないが、本発明の性巣部鍛練サドルに構成される摩擦具の材質としては、性巣部を無理に圧迫しないゴム材質からなるのが好ましい。
【００２７】
【発明の効果】
前述したように本発明による性巣部鍛練サドルは、構成要素が簡単で広く実用化されることができ、摩擦具の突出範囲の調節が可能であるため男性だけでなく女性も自転車などを利用することができ、男性の場合自転車に乗る間性巣部を構成する筋肉が鍛練されるため早漏や射精不能、勃起不能などのような性機能障害要素の解決に卓越した効果があり、特に老人のように筋力が弱くて性生活が円滑に行われない者も活発な性生活を維持することができる効果がある。
【図面の簡単な説明】
【図１】本発明の性巣部鍛練サドルが適用された自転車を示した正面図である。
【図２】本発明による性巣部鍛練サドルの構成要素を示した分解斜視図である。
【図３】本発明による性巣部鍛練サドルの構成を示した結合断面図である。
【図４】本発明の性巣部鍛練サドルの構成要部である摩擦具の作用を示した作用断面図である。
【符号の説明】
１０：据え載せ具
１１：凹部
１２：結合部
２０：クッション部材
２１：孔
３０：調節具
３１：把持部
３２：結合棒
４０：摩擦具
４１：嵌合凹部
【図１】
2004073846.tif 000003
【図２】
2004073846.tif 000004
【図３】
2004073846.tif 000005
【図４】
2004073846.tif 000006